(57)【要約】【課題】タイヤの乗心地性能とダブルレーンチェンジ性能とを両立できる空気入りタイヤを提供すること。【解決手段】この空気入りタイヤ１は、リムクッションゴム１７のゴム硬さよりも高いゴム硬さを有すると共に、カーカス層１３の巻き返し部１３２とサイドウォールゴム１６およびリムクッションゴム１７との間に配置された補強ゴム１９を備える。また、リム径の測定点を基準としたビードフィラー１２の高さＨ１が、タイヤ断面高さＳＨに対して０．１０≦Ｈ１／ＳＨ≦０．２３の関係を有する。また、リム径の測定点を基準とした補強ゴム１９の高さＨ２が、タイヤ断面高さＳＨに対して０．４０≦Ｈ２／ＳＨ≦０．５５の関係を有する。また、タイヤ子午線方向の断面視における補強ゴム１９の断面積Ｓ２が、ビードフィラーの断面積Ｓ１に対して１．１０≦Ｓ２／Ｓ１≦２．７０の関係を有する。【選択図】図２
2020138672.tif 000002
【特許請求の範囲】
【請求項１】
一対のビードコアと、前記一対のビードコアの径方向外側に配置される一対のビードフィラーと、前記ビードコアおよび前記ビードフィラーを包み込みタイヤ幅方向外側に巻き返されたカーカス層と、前記カーカス層の径方向外側に配置された一対の交差ベルトと、トレッドゴム、サイドウォールゴムおよびリムクッションゴムとを備える空気入りタイヤであって、
前記リムクッションゴムのゴム硬さよりも高いゴム硬さを有すると共に、前記カーカス層の巻き返し部と前記サイドウォールゴムおよび前記リムクッションゴムとの間に配置された補強ゴムを備え、
リム径の測定点を基準とした前記ビードフィラーの高さＨ１が、タイヤ断面高さＳＨに対して０．１０≦Ｈ１／ＳＨ≦０．２３の関係を有し、
リム径の測定点を基準とした前記補強ゴムの高さＨ２が、タイヤ断面高さＳＨに対して０．４０≦Ｈ２／ＳＨ≦０．５５の関係を有し、且つ、
タイヤ子午線方向の断面視における前記補強ゴムの断面積Ｓ２が、前記ビードフィラーの断面積Ｓ１に対して１．１０≦Ｓ２／Ｓ１≦２．７０の関係を有することを特徴とする空気入りタイヤ。
【請求項２】
前記補強ゴムの高さＨ２と前記ビードフィラーの高さＨ１との差が、タイヤ断面高さＳＨに対して０．１７≦（Ｈ２−Ｈ１）／ＳＨ≦０．４５の関係を有する請求項１に記載の空気入りタイヤ。
【請求項３】
タイヤ径方向における前記ビードフィラーに対する前記補強ゴムのオーバーラップ量Ｌ１が、前記ビードフィラーの径方向長さＬ０に対して０．１５≦Ｌ１／Ｌ０≦０．６５の関係を有する請求項１または２に記載の空気入りタイヤ。
【請求項４】
前記補強ゴムのゴム硬さＨｓ２と前記ビードフィラーのゴム硬さＨｓ１との差が、１≦Ｈｓ２−Ｈｓ１の関係を有する請求項１〜３のいずれか一つに記載の空気入りタイヤ。
【請求項５】
前記補強ゴムのゴム硬さＨｓ２が、８８≦Ｈｓ２≦９８の範囲にある請求項１〜４のいずれか一つに記載の空気入りタイヤ。
【請求項６】
前記ビードフィラーの高さＨ１と規定リムのリムフランジ高さＨ０との差が、０［ｍｍ］≦Ｈ１−Ｈ０の関係を有する請求項１〜５のいずれか一つに記載の空気入りタイヤ。
【請求項７】
前記補強ゴムの高さＨ２と前記リムクッションゴムの高さＨ３との差が、タイヤ断面高さＳＨに対して０．１０≦（Ｈ２−Ｈ３）／ＳＨ≦０．３０の関係を有する請求項１〜６のいずれか一つに記載の空気入りタイヤ。
【請求項８】
リム径の測定点を基準とした前記リムクッションゴムの高さＨ３が、タイヤ断面高さＳＨに対して０．２５≦Ｈ３／ＳＨ≦０．３５の関係を有する請求項１〜７のいずれか一つに記載の空気入りタイヤ。
【請求項９】
前記ビードフィラーの径方向外側の端点Ｐを通りタイヤ内腔面に垂直な仮想線Ｘを定義し、仮想線Ｘ上における前記補強ゴムの厚さＴ２と前記リムクッションゴムの厚さＴ３とが、０．４５≦Ｔ２／（Ｔ２＋Ｔ３）≦０．７０の関係を有する請求項１〜８のいずれか一つに記載の空気入りタイヤ。
【請求項１０】
前記補強ゴムのゴム硬さＨｓ２と前記リムクッションゴムのゴム硬さＨｓ３との差が、１３≦Ｈｓ２−Ｈｓ３の関係を有する請求項１〜９のいずれか一つに記載の空気入りタイヤ。
【請求項１１】
前記カーカス層の前記巻き返し部の高さＨ４が、タイヤ断面高さＳＨに対して０．２０≦Ｈ４／ＳＨ≦０．６５の関係を有する請求項１〜１０のいずれか一つに記載の空気入りタイヤ。
【請求項１２】
リム径の測定点を基準とした前記カーカス層の前記巻き返し部の高さＨ４と前記ビードフィラーの高さＨ１との差が、タイヤ断面高さＳＨに対して０．１０≦（Ｈ４−Ｈ１）／ＳＨの関係を有する請求項１〜１１のいずれか一つに記載の空気入りタイヤ。
【請求項１３】
幅広な前記交差ベルトのベルト幅Ｗｂが、タイヤ断面高さＳＨに対して１．１０≦Ｗｂ／ＳＨ≦１．６０の関係を有する請求項１〜１２のいずれか一つに記載の空気入りタイヤ。
【請求項１４】
幅広な前記交差ベルトのベルト幅Ｗｂが、タイヤ総幅ＳＷに対して０．７５≦Ｗｂ／ＳＷ≦０．９５の関係を有する請求項１〜１３のいずれか一つに記載の空気入りタイヤ。
【請求項１５】
偏平率６０［％］以上の乗用車用ラジアルタイヤである請求項１に記載の空気入りタイヤ。
【発明の詳細な説明】
【技術分野】
【０００１】
この発明は、空気入りタイヤに関し、さらに詳しくは、タイヤの乗心地性能とダブルレーンチェンジ性能とを両立できる空気入りタイヤに関する。
【背景技術】
【０００２】
ミニバンなどに装着される近年の空気入りタイヤでは、タイヤの乗心地性能を向上するために、一般的なタイヤ断面高さ比（０．２５〜０．３５）よりも低いタイヤ断面高さ比をもつビードフィラーが採用されている。かかる低いビードフィラーを備える従来の空気入りタイヤとして、特許文献１に記載される技術が知られている。
【先行技術文献】
【特許文献】
【０００３】
【特許文献１】特公平７−８６０２号公報
【発明の概要】
【発明が解決しようとする課題】
【０００４】
しかしながら、上記のような低いビードフィラーを備える構成では、相対的にタイヤ断面高さが高くなり、タイヤのダブルレーンチェンジ性能が低下するという課題がある。
【０００５】
そこで、この発明は、上記に鑑みてなされたものであって、タイヤの乗心地性能とダブルレーンチェンジ性能とを両立できる空気入りタイヤを提供することを目的とする。
【課題を解決するための手段】
【０００６】
上記目的を達成するため、この発明にかかる空気入りタイヤは、一対のビードコアと、前記一対のビードコアの径方向外側に配置される一対のビードフィラーと、前記ビードコアおよび前記ビードフィラーを包み込みタイヤ幅方向外側に巻き返されたカーカス層と、前記カーカス層の径方向外側に配置された一対の交差ベルトと、トレッドゴム、サイドウォールゴムおよびリムクッションゴムとを備える空気入りタイヤであって、前記リムクッションゴムのゴム硬さよりも高いゴム硬さを有すると共に、前記カーカス層の巻き返し部と前記サイドウォールゴムおよび前記リムクッションゴムとの間に配置された補強ゴムを備え、リム径の測定点を基準とした前記ビードフィラーの高さＨ１が、タイヤ断面高さＳＨに対して０．１０≦Ｈ１／ＳＨ≦０．２３の関係を有し、リム径の測定点を基準とした前記補強ゴムの高さＨ２が、タイヤ断面高さＳＨに対して０．４０≦Ｈ２／ＳＨ≦０．５５の関係を有し、且つ、タイヤ子午線方向の断面視における前記補強ゴムの断面積Ｓ２が、前記ビードフィラーの断面積Ｓ１に対して１．１０≦Ｓ２／Ｓ１≦２．７０の関係を有することを特徴とする。
【発明の効果】
【０００７】
この発明にかかる空気入りタイヤによれば、（１）ビードフィラーのタイヤ断面高さ比Ｈ１／ＳＨが一般的なタイヤ断面高さ比（０．２５〜０．３５）よりも低く設定されるので、乗り心地の硬さが緩和されてタイヤの乗心地性能が向上する。また、（２）補強ゴムがカーカス層の巻き返し部とサイドウォールゴムおよびリムクッションゴムとの間に配置されるので、振動の減衰性が向上してタイヤの乗心地性能が向上する。同時に、補強ゴムがビード部を補強することにより、上記した低いビードフィラーに起因するタイヤのダブルレーンチェンジ性能の低下が抑制される。さらに、（３）補強ゴムの断面積比Ｓ２／Ｓ１が適正化されるので、補強ゴムによる振動の減衰性作用およびビード部の補強作用が確保され、また、補強ゴムが過大となることに起因するタイヤの乗心地性能の悪化が抑制される。これらにより、タイヤの乗心地性能およびダブルレーンチェンジ性能が両立する利点がある。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤのビード部およびサイドウォール部を示す拡大図である。
【図３】図３は、図２に記載したビード部を示す拡大図である。
【図４】図４は、図２に記載した空気入りタイヤの変形例を示す説明図である。
【図５】図５は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、タイヤ径方向の片側領域の断面図を示している。また、同図は、空気入りタイヤの一例として、偏平率６０［％］以上の乗用車用ラジアルタイヤを示している。
【００１１】
同図において、タイヤ子午線方向の断面は、タイヤ回転軸（図示省略）を含む平面でタイヤを切断したときの断面として定義される。また、タイヤ赤道面ＣＬは、ＪＡＴＭＡに規定されたタイヤ断面幅の測定点の中点を通りタイヤ回転軸に垂直な平面として定義される。また、タイヤ幅方向は、タイヤ回転軸に平行な方向として定義され、タイヤ径方向は、タイヤ回転軸に垂直な方向として定義される。また、点Ｔは、タイヤ接地端であり、点Ａは、タイヤ最大幅位置である。
【００１２】
空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７と、インナーライナ１８とを備える（図１参照）。
【００１３】
一対のビードコア１１、１１は、スチールから成る１本あるいは複数本のビードワイヤを環状かつ多重に巻き廻して成り、ビード部に埋設されて左右のビード部のコアを構成する。一対のビードフィラー１２、１２は、一対のビードコア１１、１１のタイヤ径方向外周にそれぞれ配置されてビード部を補強する。
【００１４】
カーカス層１３は、１枚のカーカスプライから成る単層構造あるいは複数枚のカーカスプライを積層して成る多層構造を有し、左右のビードコア１１、１１間にトロイダル状に架け渡されてタイヤの骨格を構成する。また、カーカス層１３の両端部は、ビードコア１１およびビードフィラー１２を包み込むようにタイヤ幅方向外側に巻き返されて係止される。また、カーカス層１３のカーカスプライは、スチールあるいは有機繊維材（例えば、アラミド、ナイロン、ポリエステル、レーヨンなど）から成る複数のカーカスコードをコートゴムで被覆して圧延加工して構成され、８０［deg］以上１００［deg］以下のコード角度（タイヤ周方向に対するカーカスコードの長手方向の傾斜角として定義される。）を有する。
【００１５】
ベルト層１４は、複数のベルトプライ１４１〜１４４を積層して成り、カーカス層１３の外周に掛け廻されて配置される。ベルトプライ１４１〜１４４は、一対の交差ベルト１４１、１４２と、ベルトカバー１４３およびベルトエッジカバー１４４とを含む。
【００１６】
一対の交差ベルト１４１、１４２は、スチールあるいは有機繊維材から成る複数のベルトコードをコートゴムで被覆して圧延加工して構成され、絶対値で２５［deg］以上３３［deg］以下のコード角度を有する。また、一対の交差ベルト１４１、１４２は、相互に異符号のコード角度（タイヤ周方向に対するベルトコードの長手方向の傾斜角として定義される）を有し、ベルトコードの長手方向を相互に交差させて積層される（いわゆるクロスプライ構造）。また、一対の交差ベルト１４１、１４２は、カーカス層１３のタイヤ径方向外側に積層されて配置される。
【００１７】
ベルトカバー１４３およびベルトエッジカバー１４４は、スチールあるいは有機繊維材から成るベルトカバーコードをコートゴムで被覆して構成され、絶対値で０［deg］以上１０［deg］以下のコード角度を有する。また、ベルトカバー１４３およびベルトエッジカバー１４４は、例えば、１本あるいは複数本のベルトカバーコードをコートゴムで被覆して成るストリップ材であり、このストリップ材を交差ベルト１４１、１４２の外周面に対してタイヤ周方向に複数回かつ螺旋状に巻き付けて構成される。
【００１８】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側からタイヤ幅方向外側に延在して、ビード部のリム嵌合面を構成する。
【００１９】
インナーライナ１８は、タイヤ内腔面に配置されてカーカス層１３を覆う空気透過防止層であり、カーカス層１３の露出による酸化を抑制し、また、タイヤに充填された空気の洩れを防止する。また、インナーライナ１８は、例えば、ブチルゴムを主成分とするゴム組成物、熱可塑性樹脂、熱可塑性樹脂中にエラストマー成分をブレンドした熱可塑性エラストマー組成物などから構成される。また、図１の構成では、インナーライナ１８の径方向内側端部が、カーカス層１３およびリムクッションゴム１７に挟み込まれて、ビードコア１１の径方向内側まで延在している（後述する図３参照）。
【００２０】
また、図１において、タイヤ総幅ＳＷとタイヤ断面高さＳＨとが、１．２５≦ＳＷ／ＳＨ≦１．８０の関係を有する。したがって、タイヤ偏平率が比較的高めに設定される。
【００２１】
タイヤ総幅ＳＷは、タイヤを規定リムに装着して規定内圧を付与すると共に無負荷状態としたときのサイドウォール間の（タイヤ側面の模様、文字などのすべての部分を含む）直線距離として測定される。
【００２２】
タイヤ断面高さＳＨは、タイヤ外径とリム径との差の１／２の距離であり、タイヤを規定リムに装着して規定内圧を付与すると共に無負荷状態として測定される。
【００２３】
規定リムとは、ＪＡＴＭＡに規定される「適用リム」、ＴＲＡに規定される「Design  Rim」、あるいはＥＴＲＴＯに規定される「Measuring  Rim」をいう。また、規定内圧とは、ＪＡＴＭＡに規定される「最高空気圧」、ＴＲＡに規定される「TIRE  LOAD  LIMITS  AT  VARIOUS  COLD  INFLATION  PRESSURES」の最大値、あるいはＥＴＲＴＯに規定される「INFLATION  PRESSURES」をいう。また、規定荷重とは、ＪＡＴＭＡに規定される「最大負荷能力」、ＴＲＡに規定される「TIRE  LOAD  LIMITS  AT  VARIOUS  COLD  INFLATION  PRESSURES」の最大値、あるいはＥＴＲＴＯに規定される「LOAD  CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００２４】
また、幅広な交差ベルト１４１のベルト幅Ｗｂが、タイヤ断面高さＳＨに対して１．１０≦Ｗｂ／ＳＨ≦１．６０の関係を有することが好ましく、１．２０≦Ｗｂ／ＳＨ≦１．４０の関係を有することがより好ましい。したがって、ベルト幅Ｗｂが比較的広めに設定される。
【００２５】
ベルトプライの幅は、各ベルトプライの左右の端部のタイヤ回転軸方向の距離であり、タイヤを規定リムに装着して規定内圧を付与すると共に無負荷状態として測定される。
【００２６】
また、幅広な交差ベルト１４１のベルト幅Ｗｂが、タイヤ総幅ＳＷに対して０．７５≦Ｗｂ／ＳＷ≦０．９５の関係を有することが好ましく、０．８０≦Ｗｂ／ＳＷ≦０．９０の関係を有することがより好ましい。
【００２７】
［ビード部の補強構造］
図２は、図１に記載した空気入りタイヤのビード部およびサイドウォール部を示す拡大図である。図３は、図２に記載したビード部を示す拡大図である。
【００２８】
図１に示すように、空気入りタイヤ１は、一対の補強ゴム１９、１９を備える。補強ゴム１９は、ビードフィラー１２に対して同等以上のゴム硬さを有し、また、サイドウォールゴム１６およびリムクッションゴム１７よりも高いゴム硬さを有する。
【００２９】
具体的に、ビードフィラーのゴム硬さＨｓ１が、７０≦Ｈｓ１≦９８の範囲にあることが好ましく、７５≦Ｈｓ１≦８５の範囲にあることがより好ましい。これに対して、補強ゴム１９のゴム硬さＨｓ２が、８８≦Ｈｓ２≦９８の範囲にある。また、補強ゴム１９のゴム硬さＨｓ２と前記ビードフィラーのゴム硬さＨｓ１との差が、１≦Ｈｓ２−Ｈｓ１の関係を有することが好ましい。差Ｈｓ２−Ｈｓ１の上限は特に限定がないが、上記ゴム硬さＨｓ１、Ｈｓ２の範囲により制約を受ける。
【００３０】
また、リムクッションゴムのゴム硬さＨｓ３が、６５≦Ｈｓ３≦７５の範囲にある。また、補強ゴム１９のゴム硬さＨｓ２とリムクッションゴム１７のゴム硬さＨｓ３との差が、１３≦Ｈｓ２−Ｈｓ３の関係を有する。差Ｈｓ２−Ｈｓ３の上限は特に限定がないが、上記ゴム硬さＨｓ３、Ｈｓ２の範囲により制約を受ける。
【００３１】
ゴム硬さは、ＪＩＳ  Ｋ６２５３に準拠して測定される。
【００３２】
また、補強ゴム１９は、カーカス層１３の巻き返し部１３２とサイドウォールゴム１６およびリムクッションゴム１７との間に挟み込まれて配置される。また、一対の補強ゴム１９、１９が、左右のビード部にそれぞれ配置される。
【００３３】
図２の構成では、カーカス層１３が単層構造を有し、上記のようにカーカス層１３の端部がビードコア１１およびビードフィラー１２を包み込むようにタイヤ幅方向外側に巻き返され、その巻き返し部１３２がカーカス層１３の本体部１３１に接触して係止されている。また、補強ゴム１９が、カーカス層１３の巻き返し部１３２の端部をタイヤ幅方向外側から覆って配置されている。また、補強ゴム１９が、ビードフィラー１２に対してタイヤ径方向にオーバーラップして配置され、また、タイヤ径方向に延在してカーカス層１３の本体部１３１の外周面に接触している。
【００３４】
また、図２において、ビードフィラー１２の高さＨ１が、タイヤ断面高さＳＨ（図１参照）に対して０．１０≦Ｈ１／ＳＨ≦０．２３の関係を有する。したがって、ビードフィラー１２の高さＨ１が、一般的なビードフィラーのタイヤ断面高さ比（０．２５〜０．３５）よりも低いタイヤ断面高さ比を有する。
【００３５】
ビードフィラーの高さＨ１は、リム径の測定点からビードフィラーの径方向外側端部までの距離であり、タイヤを規定リムに装着して規定内圧を付与すると共に無負荷状態として測定される。
【００３６】
上記の構成では、ビードフィラー１２のタイヤ断面高さ比Ｈ１／ＳＨが一般的なタイヤ断面高さ比（０．２５〜０．３５）よりも低く設定されるので、乗り心地の硬さが緩和されてタイヤの乗心地性能が向上し、また、１６０［Ｈｚ］付近の低周波ロードノイズが低減されてタイヤの騒音性能が向上する。
【００３７】
また、補強ゴム１９の高さＨ２が、タイヤ断面高さＳＨに対して０．４０≦Ｈ２／ＳＨ≦０．５５の関係を有することが好ましく、０．４３≦Ｈ２／ＳＨ≦０．４９の関係を有することがより好ましい。
【００３８】
補強ゴムの高さＨ２は、リム径の測定点から補強ゴムの径方向外側端部までの距離であり、タイヤを規定リムに装着して規定内圧を付与すると共に無負荷状態として測定される。
【００３９】
また、補強ゴム１９の高さＨ２とビードフィラー１２の高さＨ１との差が、タイヤ断面高さＳＨに対して０．１７≦（Ｈ２−Ｈ１）／ＳＨ≦０．４５の関係を有することが好ましく、０．２０≦（Ｈ２−Ｈ１）／ＳＨ≦０．３５の関係を有することがより好ましい。また、補強ゴム１９の高さＨ２とビードフィラー１２の高さＨ１との差が、３０［ｍｍ］≦Ｈ２−Ｈ１の範囲にあることが好ましい。差Ｈ２−Ｈ１の上限は、特に限定がないが、上記した高さＨ１、Ｈ２の範囲により制約を受ける。
【００４０】
上記の構成では、補強ゴム１９がカーカス層１３の巻き返し部１３２とサイドウォールゴム１６およびリムクッションゴム１７との間に配置されるので、振動の減衰性が向上してタイヤの乗心地性能が向上する。また、上記のような低いビードフィラーを備える構成では、相対的にタイヤ断面高さが高くなり、タイヤのダブルレーンチェンジ性能が低下するという課題がある。この点において、上記の構成では、補強ゴム１９がビード部を補強することにより、上記した低いビードフィラー１２に起因するタイヤのダブルレーンチェンジ性能の低下が抑制される。これにより、タイヤの乗心地性能およびダブルレーンチェンジ性能が両立し、また、タイヤの騒音性能が向上する。
【００４１】
また、図３において、タイヤ径方向におけるビードフィラー１２に対する補強ゴム１９のオーバーラップ量Ｌ１が、ビードフィラー１２の径方向長さＬ０に対して０．１５≦Ｌ１／Ｌ０≦０．６５の関係を有することが好ましく、０．３０≦Ｌ１／Ｌ０≦０．６０の関係を有することがより好ましい。したがって、補強ゴム１９のオーバーラップ量Ｌ１がビードフィラー１２の径方向長さＬ０よりも短く、補強ゴム１９の径方向内側端部が、ビードコア１１の外周面よりもタイヤ径方向外側にある。また、補強ゴム１９のオーバーラップ量Ｌ１が５．０［ｍｍ］≦Ｌ１の範囲にあることが好ましい。オーバーラップ量Ｌ１の上限は、特に限定がないが、上記した比Ｌ１／Ｌ０の条件により制約を受ける。
【００４２】
また、タイヤ子午線方向の断面視における補強ゴム１９の断面積Ｓ２が、ビードフィラー１２の断面積Ｓ１に対して１．１０≦Ｓ２／Ｓ１≦２．７０の関係を有することが好ましく、１．２５≦Ｓ２／Ｓ１≦１．６０の関係を有することがより好ましい。これにより、補強ゴム１９の断面積Ｓ２の比Ｓ２／Ｓ１が適正化される。すなわち、上記下限により、補強ゴム１９の断面積Ｓ１が確保されて、補強ゴム１９による振動の減衰性作用およびビード部の補強作用が確保される。また、上記上限により、補強ゴム１９が過大となることに起因するタイヤの乗心地性能および騒音性能の悪化が抑制される。
【００４３】
また、図２において、ビードフィラー１２の高さＨ１と規定リム２０のリムフランジ高さＨ０との差が、０［ｍｍ］≦Ｈ１−Ｈ０の範囲にあることが好ましく、５．０［ｍｍ］≦Ｈ１−Ｈ０の範囲にあることがより好ましい。したがって、ビードフィラー１２が規定リム２０の最大高さ位置を越えてタイヤ径方向外側に延在する。差Ｈ１−Ｈ０の上限は、特に限定がないが、高さＨ１にかかる他の条件により制約を受ける。
【００４４】
リムフランジ高さＨ０は、リム径の測定点から規定リムの径方向外側端部までの距離として測定される。
【００４５】
また、図２において、補強ゴム１９の高さＨ２とリムクッションゴム１７の高さＨ３との差が、タイヤ断面高さＳＨに対して０．１０≦（Ｈ２−Ｈ３）／ＳＨ≦０．３０の関係を有することが好ましく、０．１５≦（Ｈ２−Ｈ３）／ＳＨ≦０．２５の関係を有することがより好ましい。したがって、補強ゴム１９がリムクッションゴム１７の最大高さ位置を越えてタイヤ径方向外側に延在する。
【００４６】
また、リムクッションゴム１７の高さＨ３が、タイヤ断面高さＳＨに対して０．２５≦Ｈ３／ＳＨ≦０．３５の関係を有する。
【００４７】
リムクッションゴムの高さＨ３は、リム径の測定点からリムクッションゴムの径方向外側端部までの距離であり、タイヤを規定リムに装着して規定内圧を付与すると共に無負荷状態として測定される。
【００４８】
また、図３において、ビードフィラー１２の径方向外側の端点Ｐを通りタイヤ内腔面に垂直な仮想線Ｘを定義する。このとき、仮想線Ｘ上における補強ゴム１９の厚さＴ２とリムクッションゴム１７の厚さＴ３とが、０．４５≦Ｔ２／（Ｔ２＋Ｔ３）≦０．７０の関係を有することが好ましく、０．５０≦Ｔ２／（Ｔ２＋Ｔ３）≦０．６０の関係を有することがより好ましい。また、仮想線Ｘ上における補強ゴム１９の厚さＴ２が、３．０［ｍｍ］≦Ｔ２≦５．０［ｍｍ］の範囲にあることが好ましい。
【００４９】
また、図２において、カーカス層１３の巻き返し部１３２の高さＨ４が、タイヤ断面高さＳＨに対して０．２０≦Ｈ４／ＳＨ≦０．６５の関係を有する。これにより、カーカス層１３の巻き返し部１３２の高さＨ４が適正化される。
【００５０】
カーカス層の巻き返し部の高さＨ４は、リム径の測定点から巻き返し部の径方向外側端部までの距離であり、タイヤを規定リムに装着して規定内圧を付与すると共に無負荷状態として測定される。
【００５１】
また、図２において、カーカス層１３の巻き返し部１３２の高さＨ４とビードフィラー１２の高さＨ１との差が、タイヤ断面高さＳＨに対して０．１０≦（Ｈ４−Ｈ１）／ＳＨの関係を有することが好ましく、０．２５≦（Ｈ４−Ｈ１）／ＳＨの関係を有することがより好ましい。これにより、カーカス層１３の巻き返し部１３２の高さＨ４が確保されて、カーカス層１３の張力が確保される。比（Ｈ４−Ｈ１）／ＳＨの上限は、特に限定がないが、他の条件により制約を受ける。
【００５２】
［変形例］
図４は、図２に記載した空気入りタイヤの変形例を示す説明図である。同図において、図２に記載した構成要素と同一のものについては、同一の符号を付し、その説明を省略する。
【００５３】
図２の構成では、カーカス層１３がいわゆるローターンナップ構造を有し、カーカス層１３の巻き返し部１３２の高さＨ４とタイヤ断面高さＳＨとの比Ｈ４／ＳＨが０．２０≦Ｈ４／ＳＨ≦０．４５の範囲にある。また、比Ｈ４／ＳＨが０．２５≦Ｈ４／ＳＨ≦０．３５の範囲にあることが好ましい。かかる構成では、乗り心地の硬さが緩和される点で好ましい。
【００５４】
これに対して、図４の構成では、カーカス層１３がハイターンナップ構造を有し、比Ｈ４／ＳＨが０．４５≦Ｈ４／ＳＨ≦０．６５の範囲にある。また、また、比Ｈ４／ＳＨが０．５０≦Ｈ４／ＳＨ≦０．６０の範囲にあることが好ましい。かかる構成では、振動の減衰性が向上する点で好ましい。
【００５５】
［効果］
以上説明したように、この空気入りタイヤ１は、一対のビードコア１１、１１と、一対のビードコア１１、１１の径方向外側に配置される一対のビードフィラー１２、１２と、ビードコア１１およびビードフィラー１２を包み込みタイヤ幅方向外側に巻き返されたカーカス層１３と、カーカス層１３の径方向外側に配置された一対の交差ベルト１４１、１４２と、トレッドゴム１５、サイドウォールゴム１６およびリムクッションゴム１７とを備える（図２参照）。また、空気入りタイヤ１は、リムクッションゴム１７のゴム硬さよりも高いゴム硬さを有すると共に、カーカス層１３の巻き返し部１３２とサイドウォールゴム１６およびリムクッションゴム１７との間に配置された補強ゴム１９を備える（図３参照）。また、リム径の測定点を基準としたビードフィラー１２の高さＨ１が、タイヤ断面高さＳＨに対して０．１０≦Ｈ１／ＳＨ≦０．２３の関係を有する。また、リム径の測定点を基準とした補強ゴム１９の高さＨ２が、タイヤ断面高さＳＨに対して０．４０≦Ｈ２／ＳＨ≦０．５５の関係を有する。また、タイヤ子午線方向の断面視における補強ゴム１９の断面積Ｓ２が、ビードフィラーの断面積Ｓ１に対して１．１０≦Ｓ２／Ｓ１≦２．７０の関係を有する。
【００５６】
かかる構成では、（１）ビードフィラー１２のタイヤ断面高さ比Ｈ１／ＳＨが一般的なタイヤ断面高さ比（０．２５〜０．３５）よりも低く設定されるので、乗り心地の硬さが緩和されてタイヤの乗心地性能が向上し、また、１６０［Ｈｚ］付近の低周波ロードノイズが低減されてタイヤの騒音性能が向上する。また、（２）補強ゴム１９がカーカス層１３の巻き返し部１３２とサイドウォールゴム１６およびリムクッションゴム１７との間に配置されるので、振動の減衰性が向上してタイヤの乗心地性能が向上する。同時に、補強ゴム１９がビード部を補強することにより、上記した低いビードフィラー１２に起因するタイヤのダブルレーンチェンジ性能の低下が抑制される。さらに、（３）補強ゴム１９の断面積Ｓ２の比Ｓ２／Ｓ１が適正化されるので、補強ゴム１９による振動の減衰性作用およびビード部の補強作用が確保され、また、補強ゴム１９が過大となることに起因するタイヤの乗心地性能および騒音性能の悪化が抑制される。これらにより、タイヤの乗心地性能およびダブルレーンチェンジ性能が両立し、また、タイヤの騒音性能が向上する利点がある。
【００５７】
また、この空気入りタイヤ１では、補強ゴム１９の高さＨ２とビードフィラー１２の高さＨ１との差が、タイヤ断面高さＳＨに対して０．１７≦（Ｈ２−Ｈ１）／ＳＨ≦０．４５の関係を有する（図２参照）。上記下限により、補強ゴム１９による振動の減衰性作用およびビード部の補強作用が確保される利点がある。上記上限により、補強ゴム１９が過大となることに起因するタイヤの乗心地性能および騒音性能の悪化が抑制される利点がある。
【００５８】
また、この空気入りタイヤ１では、タイヤ径方向におけるビードフィラー１２に対する補強ゴム１９のオーバーラップ量Ｌ１が、ビードフィラー１２の径方向長さＬ０に対して０．１５≦Ｌ１／Ｌ０≦０．６５の関係を有する（図３参照）。上記下限により、補強ゴム１９による振動の減衰性作用およびビード部の補強作用が確保される利点がある。上記上限により、補強ゴム１９が過大となることに起因するタイヤの乗心地性能および騒音性能の悪化が抑制される利点がある。
【００５９】
また、この空気入りタイヤ１では、補強ゴム１９のゴム硬さＨｓ２とビードフィラー１２のゴム硬さＨｓ１との差が、１≦Ｈｓ２−Ｈｓ１の関係を有する。かかる構成では、補強ゴム１９がビードフィラー１２に対して異なるゴム硬さを有することにより、補強ゴム１９による振動の減衰性作用の調整が容易となる利点がある。
【００６０】
また、この空気入りタイヤでは、補強ゴム１９のゴム硬さＨｓ２が、８８≦Ｈｓ２≦９８の範囲にある。これにより、補強ゴム１９のゴム硬さＨｓ２が確保される利点がある。
【００６１】
また、この空気入りタイヤ１では、ビードフィラー１２の高さＨ１と規定リムのリムフランジ高さＨ０との差が、０［ｍｍ］≦Ｈ１−Ｈ０の関係を有する（図２参照）。これにより、ビードフィラー１２の高さＨ１が確保されて、ビード部の強度が確保される利点がある。
【００６２】
また、この空気入りタイヤ１では、補強ゴム１９の高さＨ２とリムクッションゴム１７の高さＨ３との差が、タイヤ断面高さＳＨに対して０．１０≦（Ｈ２−Ｈ３）／ＳＨ≦０．３０の関係を有する（図２参照）。これにより、補強ゴム１９の高さＨ２が適正化される利点がある。
【００６３】
また、この空気入りタイヤ１では、リム径の測定点を基準としたリムクッションゴム１７の高さＨ３が、タイヤ断面高さＳＨに対して０．２５≦Ｈ３／ＳＨ≦０．３５の関係を有する（図２参照）。これにより、リムクッションゴム１７の高さＨ３が適正化される利点がある。
【００６４】
また、この空気入りタイヤ１では、ビードフィラー１２の径方向外側の端点Ｐを通りタイヤ内腔面に垂直な仮想線Ｘを定義し、仮想線Ｘ上における補強ゴム１９の厚さＴ２とリムクッションゴム１７の厚さＴ３とが、０．５０≦Ｔ２／（Ｔ２＋Ｔ３）≦０．６７の関係を有する（図３参照）。これにより、補強ゴム１９の厚さＴ２がリムクッションゴム１７の厚さＴ３に対して適正化される利点がある。
【００６５】
また、この空気入りタイヤ１では、補強ゴム１９のゴム硬さＨｓ２とリムクッションゴム１７のゴム硬さＨｓ３との差が、１３≦Ｈｓ２−Ｈｓ３の関係を有する。これにより、補強ゴム１９のゴム硬さＨｓ２が適正化される利点がある。
【００６６】
また、この空気入りタイヤ１では、カーカス層１３の巻き返し部１３２の高さＨ４が、タイヤ断面高さＳＨに対して０．２０≦Ｈ４／ＳＨ≦０．６５の関係を有する（図２参照）。これにより、カーカス層１３の巻き返し部１３２の高さＨ４が適正化される利点がある。
【００６７】
また、この空気入りタイヤ１では、リム径の測定点を基準としたカーカス層１３の巻き返し部１３２の高さＨ４とビードフィラー１２の高さＨ１との差が、タイヤ断面高さＳＨに対して０．１０≦（Ｈ４−Ｈ１）／ＳＨの関係を有する（図２参照）。これにより、カーカス層１３の巻き返し部１３２の高さＨ４が確保されて、カーカス層１３の張力が確保される利点がある。
【００６８】
また、この空気入りタイヤ１では、幅広な交差ベルト１４１のベルト幅Ｗｂが、タイヤ断面高さＳＨに対して１．１０≦Ｗｂ／ＳＨ≦１．６０の関係を有する（図１参照）。上記下限および上限により、タイヤの乗心地性能および騒音性能が両立する利点がある。
【００６９】
また、この空気入りタイヤ１では、幅広な交差ベルト１４１のベルト幅Ｗｂが、タイヤ総幅ＳＷに対して０．７５≦Ｗｂ／ＳＷ≦０．９５の関係を有する（図１参照）。上記下限および上限により、タイヤの乗心地性能および騒音性能が両立する利点がある。
【００７０】
また、この空気入りタイヤ１は、偏平率６０［％］以上の乗用車用ラジアルタイヤである。上記の構成が高い偏平率の乗用車用タイヤに適用されることにより、上記した補強ゴム１９による乗心地性能およびダブルレーンチェンジ性能の向上効果が顕著に得られる利点がある。
【実施例】
【００７１】
図５は、この発明の実施の形態にかかる空気入りタイヤの性能試験の結果を示す図表である。
【００７２】
この性能試験では、複数種類の試験タイヤについて、（１）乗心地性能、（２）ダブルレーンチェンジ性能および（３）騒音性能に関する評価が行われた。また、タイヤサイズ２３５／６５Ｒ１７の試験タイヤがリムサイズ１７×７Ｊのリムに組み付けられ、この試験タイヤに２４０［ｋＰａ］の内圧およびＪＡＴＭＡの規定荷重が付与される。また、試験タイヤが、試験車両である排気量３．５［Ｌ］の前輪駆動のミニバン車の総輪に装着される。
【００７３】
（１）乗心地性能に関する評価では、試験車両がドライ路面のテストコースを走行して、専門のテストドライバーが乗り心地の硬さと振動の減衰性についてフィーリング評価を行う。この評価は、従来例を基準（１００）とした指数評価により行われ、その数値が大きいほど好ましい。
【００７４】
（２）ダブルレーンチェンジ性能に関する評価では、試験車両がドライ路面のテストコースを惰性走行し、車両の緊急回避走行を想定して、所定の走行ラインに沿って左右に連続したレーンチェンジを行う。そして、テストコースへの進入限界速度が計測されて評価が行われる。この評価は、従来例を基準（１００）とした指数評価により行われ、その数値が大きいほど好ましい。
【００７５】
（３）騒音性能に関する評価では、試験車両が粗い路面を有するテストコースを１０［ｋｍ／ｈ］〜２０［ｋｍ／ｈ］で惰性走行し、テストドライバーが車内騒音（ロードノイズ）に関する官能評価を行う。この評価は、従来例を基準（１００）とした指数評価により行われ、その数値が大きいほど好ましい。
【００７６】
実施例の試験タイヤは、図１および図２の構成を備え、低い高さＨ１を有するビードフィラー１２と、補強ゴム１９とを有する。また、タイヤ断面高さＳＨが１５０［ｍｍ］であり、ビードフィラー１２のゴム硬さＨｓ１が９０であり、補強ゴム１９のゴム硬さＨｓ２が９５であり、リムクッションゴムのゴム硬さＨｓ３が７０であり、サイドウォールゴム１６のゴム硬さが５３である。
【００７７】
従来例の試験タイヤは、実施例１の試験タイヤにおいて、補強ゴム１９の断面積Ｓ２とビードフィラーの断面積Ｓ１との比Ｓ２／Ｓ１が非常に大きく設定されている。
【００７８】
試験結果に示すように、実施例の試験タイヤでは、タイヤの乗心地性能、ダブルレーンチェンジ性能および騒音性能が向上することが分かる。
【符号の説明】
【００７９】
１  空気入りタイヤ；１１  ビードコア；１２  ビードフィラー；１３  カーカス層；１３１  本体部；１３２  巻き返し部；１４  ベルト層；１４１、１４２  交差ベルト；１４３  ベルトカバー；１４４  ベルトエッジカバー；１５  トレッドゴム；１６  サイドウォールゴム；１７  リムクッションゴム；１８  インナーライナ；１９  補強ゴム；２０  規定リム
【図１】
2020138672.tif 000003
【図２】
2020138672.tif 000004
【図３】
2020138672.tif 000005
【図４】
2020138672.tif 000006
【図５】
2020138672.tif 000007